(57)【要約】      （修正有）【課題】電気不足を解消した多機能ビデオ装置の提供。【解決手段】主電源に、半永久連続発電出来る2連振り子型充電池を内蔵し、補助発電装置に軽水素内蔵複色シリコンソーラーパネル27を具備する。記録媒体に両面表裏ＭＤ19を採用。二画面表示で液晶A23と液晶B24を持ち、ビデオ携帯波アンテナ2から受診される映像と撮影している映像を見ながら、液晶画面AとBを切替えられる。これ等を合成写真とすることもできる。主電源の電池使用量は、電池使用消費税カードとも云える磁気カード8に記録できる。衛星ＧＰＳ79を装備しており、全自動で元の位置帰還が可能である。また、アダプタ取り付け口25を持ち、主プロペラを取り付けリモコンでヘリコプタビデオ装置となる。【選択図】図２
2011233228.tif 000002
【特許請求の範囲】
【請求項１】
本先知的所有財産の多機能ビデオは、二台の自動充電池が、互いに発電した電気エネルギーによって、振り子の往復ダイナモ回転作動スピードを上げ続ける事の出来る超小型の半永久連続発電出来る2連振り子型自動充電池を積載した多機能ビデオ装置。
【請求項２】
本先知的所有財産の多機能ビデオに使用されて入る2連振り子型自動充電池に使用されて入る二つのダイナモ装置は、軽水素内蔵合成の圧電素子入りの超薄型ダイナモ装置を積載した2連振り子型自動充電池を積載した多機能ビデオ装置。
【請求項３】
本先知的所有財産の多機能ビデオに使用されて入る2連振り子型自動充電池に使用されているモーターは、圧電素子磁石体の磁極切り替えインバーター制御装置使用のレールモーター装置で有り、振り子作動エネルギーを歯車に伝える事によって超小型ダイナモ回転作動によって、連続した発電電気エネルギーによって多機能ビデオ連続操作出来る発電池に使用されて入るレールーモーター装置。
【請求項４】
本先知的所有財産の多機能ビデオに使用されて入る2連振り子型自動充電池に使用されて入るゼンマイ作動によって、ダイナモ装置の回転補助作動させるためのゼンマイ装置のゼンマイにはゼンマイ切れ防止の為のワイヤ入りゼンマイ装置使用によって、レールモーターワイヤレールモーターの圧電素子磁気磁石ICチップ回路位置記憶によって連続ゼンマイ巻き取り作動を半永久作動し続けても切れないゼンマイ板装置。
【請求項５】
本先知的所有財産の多機能ビデオに使用されている圧電素子4電子磁気分割装置使用によって、電気中から圧電素子磁石体磁気の4分割区分けによって、6本の電気配線を圧電素子磁石体の磁気力及び磁気スピードの一番速い部分の端にそれぞれ一本ずつプラス配線とマイナス配線を取り付けた電気供給配線構造とし更に、圧電素子磁石体の中央部にプラス電気配線とマイナス電気配線をそれぞれ圧電素子磁石に流すプラス配線とマイナス配線構造を設け更に圧電素子の磁気力の弱い部分に圧電素子4電子磁気分割のリサイクル電気プラス配線とマイナス配線構造とした圧電素子4電子磁気分割装置を内蔵した2連振り子型自動充電池を積載した多機能ビデオ装置。
【請求項６】
本先知的所有財産の多機能ビデオに使用されて入る電気電子変換装置のマグネトロン装置は、プラス電気マグネトロン装置とマイナス電気マグネトロン装置に分けて、電気を一度電子に変えて再び電子の束を一つにして電気量増幅装置として活用した2連振り子型自動充電池装置を積載した多機能ビデオ装置。
【請求項７】
本先知的所有財産の多機能ビデオに使用されて入る2連振り子型自動充電池に内蔵設置されている半軽水素ニッケル充電池は、水素中の重水素の取り除く量を調整した半軽水素ニッケル充電池を内蔵させた2連振り子型自動充電池を積載した多機能ビデオ装置。
【請求項８】
本先知的所有財産の多機能ビデオに使用されて入る二つの液晶画面装置は、一つはビデオに備え付けのカメラ映像を写し更にもう一つの液晶画面は、携帯波のカメラ画像すなわち異なった別々の携帯波アンテナ画像とビデオ画像を写す事の出来る多機能ビデオ装置。
【請求項９】
本先知的所有財産の多機能ビデオに使用されているカメラレンズの構造体の中の魚眼レンズととつレンズを一つにつなぎ合わせた構造の一つ削りの合わせレンズ構造の魚眼とつレンズ合わせレンズ構造を積載した多機能ビデオ装置。
【請求項１０】
本先知的所有財産の多機能ビデオ装置に使用されて入るアンテナ携帯電話画像送受信機能は、ビデオで取った画像を携帯波で送れる装置をビデオカメラに積載内蔵したカメラ画像送受信機能を内蔵した多機能ビデオ装置。
【請求項１１】
本先知的所有財産の多機能ビデオ装置に使用されてる入るアンテナ携帯電話画像送受信機能は、ビデオカメラで写す画像に携帯波で送られた画像を被写体形状装置区別して合成写真ビデオ装置として使用出来る多機能ビデオ装置。
【請求項１２】
本先知的所有財産の多機能ビデオに使用するソーラーパネル装置は、複数色シリコンを組み合わせた被写体カラー色ソーラーパネルに軽水素を内蔵させて補助発電充電出来る多機能ビデオ装置。
【請求項１３】
本先知的所有財産の多機能ビデオに使用する表裏両面MD装置は、表裏両面MD装置の録音再生機能を持った表裏両面MD装置をビデオ画像収録再生表裏両面MD機能を積載させた多機能ビデオ装置。
【請求項１４】
本先知的所有財産の多機能ビデオによって録画する為のMDは通常の大きさの表裏両面MDより更に一番小さくしたサイズで有り、携帯電話で使用出来るサイズまで小さくした二つのMDを一つにした表裏両面の超小型の2連型MD装置に画像音声を入力出来て再生出来る超小型MDを積載したアンテナ携帯波送受信IC回路スイッチを積載させた多機能ビデオ装置。 
【請求項１５】
本先知的所有財産の多機能ビデオによって録画する為の磁気カード装置は、圧電素子磁石体を磁気構造とした圧電素子磁石体磁気カード構造に多機能表裏両面MDビデオ装置によって音声画像を入力出来る多機能ビデオ装置。
【請求項１６】
本先知的所有財産の多機能ビデオ装置の電池カードは、半永久連続発電出来る自動電池の電池使用量を、圧電素子磁石体磁気ベースを主体とした磁気カードに入力出来る電池消費カード装置を積載した多機能ビデオ装置。
【請求項１７】
本先知的所有財産の多機能ビデオ装置のアンテナ置き型ビデオ装置は、携帯波送受信機能が取り付けられて入るビデオ画像音声のアンテナ携帯波送受信IC回路スイッチ機能が積載した家庭置き型の手持ちビデオ装置から家庭置き型アンテナMDビデオまで、携帯波画像送受信出来る多機能ビデオ装置。
[コメント]
2008年8月3日(日)PM20時10分46秒美馬牛ビバースーパーに官ずめとキノコを買って来て更に佐藤商店カンキチでは源八商店へ納豆を買いに行った時は小降り現在は少し降って入る久々のラジオでは、明日の朝まで、降ると言っているのが、解るだけで、天気の変化は現在の
調子をカンキチ流に説明すると、美馬牛市街で、この雨の場合大雪山の裾野から富良野に向けては結構雨が降ってる状態のはずこの雨をもし余り降らさずに済ませるならば大雪山の上空で雨雲を扇風機でも使って吹き飛ばさない限り雨は止まない。されどこの場合昔流に言えば大地の地の神に地竜に風竜を呼ぶ様にこれまた皆で頼みましょう。美馬牛カンキチ。
【請求項１８】
本先知的所有財産の多機能手持ちアンテナビデオとアンテナ置き方ビデオ装置の表裏両面MD装置を作動させる装置は、複数絶縁体でそれぞれ囲まれた二列円形並びの圧電素子磁石体の磁極切り替えすなわちインバーター圧電素子配線磁極切り替えによって複数圧電素子磁石の円形回転体すなわち企業名ではDCブラシレスモーター先発明者名レールモーターによって世界で一番電気消費の少ないモーター消費の少ないレールモーターを積載設置した多機能ビデオ装置。
【請求項１９】
本先知的所有財産の多機能ビデオ装置は、アタッチメント取り付けかたの主プロペラと尾翼プロペラ装置をアタッチメント装着可能なリモコンモーターヘリコプターでリモコン撮影出来る多機能ビデオ装置。
【請求項２０】
本先知的所有財産の多機能ビデオ装置は、半永久発電システム装置の2連振り子自動充電池を積載しているため、8個の超小型ライトによって明かり調整が、出来て夜の緊急電灯として更に、緊急携帯電話としても使用可能な多機能ビデオ装置。
【発明の詳細な説明】
【技術分野】
【０００１】
本先発明は、一般家庭の多機能化を図ったビデオ装置に関する著作権原本説明。
【背景技術】
【０００２】
従来の家庭用のビデオ装置には充電型の超小型テープビデオ更にDVDを使用した方式その他一つ液晶だけの録画再生早送り巻き戻し一時停止デジタルハイビジョン機能がついてるビデオ装置が、ほとんどで有った。
【０００３】
以下図1から図8の図説によって従来のビデオ装置との違いを図1から説明を始める。
図1に於いて、(1)は今までない携帯波なによって画像と音声の送受信出来る携帯送受信ICノーマル及びデジタル回路スイッチ機能を内蔵したアンテナビデオ装置。 
(例えば特許文献3参照。)。
【０００４】
図1に於いて(31,32,)は、2連振り子型充電池は、半永久連続ダイナモ作動型発電池で有り世界で始めての半永久発電機関を使用した発電池を使用しているのが特徴で有る。  
(例えば、特許文献1参照。)(特許文献2参照。)(特許文献3参照。)。
【０００５】
図1に於いて(5)の複数ライト装置は、ライト点灯の数を切り換えセット出来る2連振り子型自動充電池の高出力発電の電気エネルギー切り換え作動の(5)の複数ライト装置。
(例えば、特許文献1参照。)(特許文献2参照。)(特許文献3参照。)。
【０００６】
図1に於いて(2)のビデオアンテナ装置は、音声及び映像主体の為、携帯波送受信ICノーマル及びデジタル電波送受信回路スイッチによって他に無いダブル液晶によって携帯画像送受信ボタンスイッチ処理出来る。
【０００７】
図1に於いて(6)は、通常今までのビデオおおレンズで有り、(9)は魚眼レンズで有り(10)はとつレンズで有り、今までにない世界で初のカメラレンズ視野を他のカメラレンズ視野を越えた今までに無い広い視野を得る為のビデオカメラレンズシステム。
【０００８】
図1に於いて(3)は、家電製品に見られる滑り止めゴムのフッ素加工ゴム設置や及び(4)のビデオ一時停止ボタン説明で有る。 
【０００９】
図1に於いて(11)は、世界初の表裏両面MD装置取り込み口で有りボタン収納レールモーターロック型の表裏両面MD装置取り込み口で有り、(12)の両面表裏MD取り出しモーターロックボタン全自動解除装置。
図1に於いて(18)はテレポーテイションスイッチスイッチで有り図2の(77)の超小型2連MD装置及び(78)の超小型圧電素子磁気カード装置の被写体形状画像をボタン操作で取りこめる(18)のテレポーテイションスイッチで有る。
図1に於いて(8)は、電池消費税カードで有り、国及び都道府県市町村区の財政を守る為の取って置きの(31,32,)の2連振り子型自動充電の電気消費圧電素子磁気カード記録システム装置で有る。(例えば、特許文献1参照。)(特許文献2参照。)。
【００１０】
図2に於いて、(23)の液晶A及び(24)の液晶Bに於いて(2)のビデオ携帯波アンテナ装置から受信される映像データーを見ながら撮影出来る(23)の液晶画像と(24)の液晶画像を切り換える事の出来る画像システム。(例えば、特許文献1参照。)。
【００１１】
図2に於いて(13)はビデオ電源スイッチで有り、(14)は再生スイッチで有り、(15)は、録画スイッチで有り、(16)早送りスイッチで有り(17)は巻戻しスイッチで有り今まで通りのビデオシステムスイッチ機関で有る。
【００１２】
図2に於いて(19)は、表裏両面MD装置で有り今までに無い録音録画ビデオシステムで有る。
【００１３】
図2に於いて(22)はMD録画口で有り卵型の円形状のMDの中に有るCDを録画する為のカバー空間を設けた表裏両面MD装置で有り、(21)のMD読み込み口は、(22)のMD録画口同様卵型の円形状のMD読み込み口同様CDの保護カバータイプの表裏両面MD装置は、今までに無い装置で有る。
【００１４】
図2に於いて(7)は、ストラップ取り付け口で有り、ビデオの手持ち十字編み夜光紐などが取り付けれれる構造で有る。
【００１５】
図2に於いて(26)は、多機能ビデオ装置のアダプタ取り付けになって入る装置で有り、(25)の主プロペラ取り付け金具装置で有るリモコン電気モーターヘリコプター作動出来る装置。(例えば、特許文献1参照。)。
【００１６】
図2に於いて(79)は衛生GPS地図で有り、(77)の超小型表裏両面MDの狭い範囲の設定地図によって全自動の基の位置帰還設定が可能で有り、(19)の片面地図の片面録画機能のMDまたは、MDの中に入っているCDを半分の構造にしたのを合わせ型CDを特殊MDケースに入れる事の出来る装置設定などが出来る(79)の衛生GPS地図も利用出来るビデオ装置。
【００１７】
図2に於いて(27)は、軽水素内蔵複数色シリコンソーラーパネル装置は、被写体を選んだり、あらかじめ自分の好きな被写体を複数カラー色ソーラーパネル被写体画像ソーラーパネルとして事前デザイン注文発注出来る多機能ビデオの補助発電装置。(例えば、特許文献1参照。)。
コメント
2008年8月4日真夜中のPM24時43分6秒ここまでで眠る美馬牛カンキチ。
2008年8月4日AM8時8分54秒朝晴れ大雪山は薄靄どうやら嵐の後の静けさで今日は温度が上がり添う昨日の雨で豊作間違い無し、海を渡りては、どのようなのかは現在は旅人の山鳩さんが朝から一声を挙げてらっしゃる久しぶりの晴れ間は今年一番ほどほどであってほしい美馬牛カンキチ。
【００１８】
図3に於いて(26)は、図1にも掲げたアダプタ取り付けの後部プロペラ取り付け口で有り、(28)は、後部レールモータープロペラ装置で有り(25)は、取り付け用主プロペラ装置部で有り、(29)は主プロペラ装置で有り、(11)の表裏両面MD取り込み口の中にセッテイングされている(30)の圧電素子の複数磁石体の磁極切り換えのインバーター制御のレールモーター装置
これらの電源は図5の(39)の圧電素子4電子磁気分割装置によって、電気中の電気抵抗を取り除く技術を、世界初の発明事実は、2002年9月中旬になり、これの事実説明は、特開2006ー254697の図説参照で理解願います。(例えば、特許文献1参照。)。
【００１９】
図4に於いて(27)の軽水素内蔵複数色シリコンソーラーパネルは、蝶の図柄及び海に浮かぶヨットの図柄など、複数カラー色ソーラーパネルのデザイン違いを説明した図説で有る。  
(例えば、特許文献1参照。)。
【００２０】
図5に於いて、(30)はインバーター制御レールモーターで有り、(31)は、多機能ビデオに内蔵されている2連振り子型自動充電池Aで有り、(32)は2連振り子型自動充電池Bで有り、(33)は半軽水素ニッケル充電池で有り、(34)はプラス電気電子変換装置で有り、(35)はマイナス電気電子変換装置で有り、(38)はコンデッサーで有り、(39)は、圧電素子4電子磁気分割装置で有り、(40)は左側自動充電池反発圧電素子電磁石で有り、(41)は、右側自動充電池反発圧電素子電磁石で有り(42)は振り子左側電磁石反発スイッチで有り、(43)は振り子側右側電磁石反発スイッチで有り、(44)はレールモーター振り子軸で有り、(45)は軽水素内蔵圧電素子入りダイナモ装置で有り、(46)は、大型歯車ゼンマイレールモーター装置で有り、(47)はワイヤ入りゼンマイ鋼板装置で有り、(48)は、軽水素内蔵圧電素子で有り、(49)はダイナモ歯車軸で有り、(50)は圧電素子磁石体構造で有り、2連振り子自動充電池は、特開2006ー254697
装置の改良型で有り、発電量のパワーアップとゼンマイ切れ防止対策が行われている(0020)は、今まで以上の半永久連続作動出来る発電池機関の部品構図説明で有る。
(特許文献、1参照。)(特許文献、2参照。)(特許文献、3参照。)。
【００２１】
図6に於いて、(38)はコンデンサーの辞書説明図で有り、(36)はレールモーターのインバータ辞書説明図で有り、(50)は圧電素子磁石体の辞書説明図で有り、(37)はインバータ圧電素子磁極切り換えのレールモーターの圧電素子1~16それぞれを1~8の複数圧電素子磁石体を絶縁連動の外側固定とし9~16の複数圧電素子モーターコイルの複数絶縁体とした特開2006ー254697の制御インバーター磁極切り換え装置のレールモーター説明と同じになる。
(例えば、特許文献1参照。)。
【００２２】
図7に於いて、(19)は表裏両面MD装置で有り、(52)は、超小型2連表裏両面MD装置で有り、(53)は超小型2連表裏両面MD装置で有り、(54)は圧電素子磁気体カードで有り、(55)は圧電素子磁気体カード取り入れ口で有り、(56)は表裏両面MD電源スイッチで有り、(57)ダブル表裏両面MD切り換えスイッチで有り、(58)は再生スイッチで有り、(59)録画スイッチで有り、(60)は早送りスイッチで有り、(61)は、巻き戻しスイッチで有り、(62)は、テレポーテイション合成画像スイッチで有り、(63)は表裏両面MDモニターパネル装置で有り、(64)は一時停止ボタンスイッチで有り、(65)入力切り換え装置で有り、(66)はテレビ電源切り換え装置で有り、(67)停止ボタンスイッチで有り、(68)は圧電素子磁気カード及び2連表裏両面MDカード電源切り換え装置で有り、(69)はタイマースイッチで有り、(70)はBSモニタースイッチで有り、(71)は音声切り換え装置までの今までに無い表裏両面MDのダブルアンテナ置き型ビデオ装置で有り、多種多用機種使用の超小型表裏両面MDカード及び圧電素子磁気カードの録音録画装置で有り、更に(84)は2連振り子機械式発電機で有り、これらW表裏両面MD装置及び超小型2連表裏両面MDカード装置及び、圧電素子磁気カード装置などをいっぺんに録音録画再生出来るビデオ装置説明。(例えば、特許文献1参照。)。
【００２３】
図8に於いて(72)は炭素シリコンで有り(73)は軽水素内蔵合成シリコンで有り、(74)は軽水素で有り(75)は電極で有り(76)は櫛形の金属電極構造の(27)の軽水素内蔵複数色シリコン
ソーラーパネル装置の部品名称説明図。(特許文献1参照。)。
コメント
2008年8月4日AM11時26分大雪山もくっきり見える入道雲が、奇麗に空に浮かぶ状態もうここでは秋のそよ風で有る美馬牛カンキチ。
【００２４】
図9に於いてW表裏両面MD置き型ビデオ装置のリモコン装置説明を始める。
図9の(56)は、表裏両面MD電源スイッチボタン装置で有り、(57)はダブルMD切り換えスイッチボタン装置で有り、(58)は再生スイッチボタン装置で有り、(59)は録画スイッチボタンで有り、(60)は、早送りスイッチボタンスイッチボタン装置で有り、(61)は、巻き戻しスイッチボタン装置で有り、(62)はテレポーテイション合成画像スイッチボタン装置で有り(63)は表裏両面MDモニター装置で有り、(64)は一時停止スイッチボタン装置で有り、(65)は入力切り換えスイッチボタン装置で有り、(66)はテレビ電源切り換えスイッチボタン装置で有り、(67)停止スイッチボタン装置で有り(68)は、圧電素子カード及び2連表裏両面MD電源切り換えスイッチボタン装置で有り、(69)はタイマースイッチボタン装置で有り、(70)はBSモニタースイッチボタン装置で有り、(71)は音声切り換えスイッチボタン装置で有り、(80)の1~15のスイッチボタンはテレビ局切り換えスイッチボタン装置で有り、(81)は鏡装置で有り、(82)は自動充電池で有り、(83)はリモコンモニターパネル装置のW表裏両面MD置き型ビデオ装置のリモコン装置部品説明で有る。(例えば、特許文献2参照。)(特許文献3参照。)。
【先行技術文献】
【特許文献】
【００２５】
【特許文献１】特開2006ー254697号公報
【特許文献２】特開2004ー304992号公報
【特許文献３】特開2003ー328925号公報
【発明の概要】
【発明が解決しようとする課題】
【００２６】
以上述べた従来のビデオでは、充電しなければ連続にビデオ作動出来なくて、充電するのにも手間がかかり過ぎて、更にDVDなどは、落としたり傷がつきやすく商品価値が、直ぐになくってしまう恐れが有り、更に従来のビデオでは、画像の電波送受信出来ない装置の為、合成画像も出来ないシステムだったり、山や他になどで、危険で危ない所などのビデオ撮影も出来ない、本来楽しむ為のビデオが電気不足の大きな理由から損なわれていた。
【００２７】
本発明は、このような従来の構成が有していた問題を解決するもので有り電気不足を解消して超小型アンテナ携帯波送受信装置を内蔵して液晶本来の楽しみを二倍にする事によって減り続ける子供達でも、ビデオ映像の中だけでもたくさんの人と友達になる事を目的としたテレポーテイション被写体形状取り込み合成ビデオとして新たな家族関係実現する事を目的とするもので有る。
【課題を解決するための手段】
【００２８】
そして、本発明は上記目的を達成する為に自動充電池を2連振り子型自動充電池として、今までゼンマイ切れ故障が、懸念されていたゼンマイ鋼板部分に二本のワイヤを内蔵した鋼ゼンマイ装置にしたり、使用モーターを圧電素子磁石体の磁極切り換え方のインバータ装置を採用したレールモーターを取り付ける事によって、今まで以上の省電気消費と圧電素子4電子磁気分割装置の導入そして更に、推定されるマスコミで、騒がれた軽水素ニッケル充電池の燃える事件に対応して水素中の重水素の取り除き量の調整をした半軽水素ニッケル充電池の採用によって、今度こそ半永久の言葉通りの2連振り子型自動充電池の追加技術によって生まれ変わった2連振り子型自動充電池で有る。
【００２９】
また第2の課題解決手段は、半永久連続発電の説明と2連振り子型自動充電池の補助発電の軽水素内蔵複数色シリコンソーラーパネル追加説明で有る。
本先発明の軽水素内蔵複数色シリコンソーラーパネルは、デザイン重視としたソーラーパネル設計で有り、図8に掲げた櫛形金属電極の上に超薄型のクリスタルガラスを被せて破損を防ぐ構造として、N型シリコン結晶板の中央部分に軽水素と液体シリコンを練り合わせた物質または、軽水素を内蔵させた新技術は、シリコン内の温度上昇を速める効果をもたらす事となる更にN型シリコンの上に超薄型のカラーデザイン印刷プラスチックシリコンペーパーを被せて張り櫛形金属電極を張り更にそのうえに超薄型のクリスタルガラスを被せたソーラーパネル構造で有り、N型シリコンの下側は電極が取り付けられている構造によって、デザイン重視の超薄型クリスタルガラスを表面にした複数カラー色デザイン重視の軽水素内蔵のソーラーパネル装置説明。
【００３０】
また、第3の課題解決手段は、今までのビデオに超小型携帯波送受信出来る装置アンテナを内蔵する事に対して圧電素子4電子磁気分割装置の電気中から電気抵抗を取りのぞく技術によって、多機能ビデオシステムの電気消費を更に抑えダブル液晶画面では、ネオン充電池合成素子回路ICチップによって、ビデオ色彩の区分けをスムーズムに行えるネオン充電池合成素子ICチップを映像回線に取り付けている事が、映像分野の第一の特徴になる。
【００３１】
また第4の課題解決手段は、今までのビデオに超小型携帯波送受信出来る装置アンテナを内蔵すると同時に携帯波画像を受信した場合に磁波の乱れた場所などで、ビデオ撮影を行った場合、通常では、乱れたままの携帯波画像音声受信になる為、圧電素子を電波の映像受信映像変換装置までの間に取り付け更に音声変換装置までの間に圧電素子を入れる事によって乱れた映像電波及び乱れた音声電波の電波の流れを正常に直す為の装置または映像撮影時と同じ乱れの無い電波の流れを回復する為の圧電素子磁石体の電波圧電素子磁石体磁気修正装置を映像電波と音声電波のそれぞれに取り付ける事によって、撮影時と同じ状態で画像と音声を楽しむ事の出来る音声電波及び画像電波圧電素子磁石体修正装置の説明で有る。
【００３２】
また第5の課題解決手段は、今までのビデオに対して超小型携帯波送受信装置を内蔵している為にビデオ撮影時に、携帯電話が急に掛かってきた場合ビデオ装置に超小型携帯送受信装置を内蔵してスピーカーとマイクに配線をつなげ携帯電話機能スイッチを取り付けただけの超小型携帯電話送受信装置で有る。
【００３３】
また第6の課題解決手段は、今までのビデオに対して他のカーナビゲイション及び携帯電話及び山岳ヘリコプター無線波中継装置基地を使用した画像音声送受信型に取り付けるデーター記録及び送信用この他ロボットのデーター収録及びデーター送信装置として使用更に特注家電製品に取り付け予定の超小型2連表裏両面MD装置及び圧電素子磁石素子体の磁気カードが、ビデオ装置に取り付く事になっている装置。
【００３４】
また第7の課題解決手段は、今までのビデオ撮影に対して液晶画像に超小型2連表裏両面MD装置または、圧電素子磁石素子体の磁気カードに入力されている自分の姿及び知人の姿及び愛犬などの被写体形状をデジタル画像記憶ライン処理及びノーマル画像記憶ライン処理によって大体の形状ラインをデジタル画像上及びノーマル画像上にラインを引いてダイオード区別被写体写真形状区別記憶して削り修正して被写体形状写真を作り上げ更に作り上げた被写体形状写真を実際に人または動物または服などをその場で写し出されている画像更に自分の姿を写せる超小型カメラによって実際に写し記録している画像に合成写真として取り込む技術をテレポーテイション技術と言う。
【００３５】
また第8の課題解決手段は今までのビデオ撮影では、無かった実際に写している画像と携帯波によるカメラ画像及びインターネット画像を楽しみながらビデオ撮影が出来る二つの液晶を備えたビデオ装置。
【００３６】
また第9の課題解決手段は今までのビデオ撮影技術に使用されている凸とつレンズ構造を半分から下は今まで通りの凸とつレンズ構造にして半分から上を魚眼レンズを取り付けた一つ削り方式の合わせレンズ構造によって写し出されるカメラレンズ半分から下は通常の凸レンズとして写し出され更にもう半分の魚眼レンズで写し出されるデジタル信号画像をデジタル魚眼修正画像全自動処理カメラ回路ICチップ装置によって画像組み立て修正全自動技術によって、今まで以上に広いカメラ魚眼及び凸とつレンズの合わせレンズ視界を写す液晶は少しワイド画面で、対応したビデオのカメラレンズの魚眼及び凸とつレンズの合わせレンズ装置説明。
【００３７】
また第10の課題解決手段は今までのビデオ撮影技術に使用されている片面のDVD記録を両面のCDを採用及びMDの中にCDを入れてCDとしても使用出来る用にMDの表裏両面に四隅二か所に卵型の穴を設ける事によってCD録画を可能にしたMDカバー裏表両面二か所づづの卵型空洞カバー技術によって、傷のつかないCD判のMDを作る事によって、より安心して楽しめるビデオMD技術によって長いビデオ撮影を可能にしたMD卵型表裏両面空洞パネル技術説明。
【００３８】
また第11の課題解決手段の圧電素子磁石体の磁極切り替え装置の制御インバーター装置作動で無ければ絶対に作動しないモーターデザイン構造すなわち、二列の円周上に連なる二列のコイル無しのそれぞれをプラスとマイナス配線とインバーター装置を構造とした一つの絶縁体で区切った圧電素子磁石体の回転接合部分は、圧電素子磁石体のままの構造であり、複数の圧電素子配線と複数の圧電素子を区切る絶縁体と複数の圧電素子の磁極切り替えを一つ一つ行う為の複数のインバーター装置を構造主体としているレールモーター装置。追加説明1      
圧電素子磁石体を使用する理由は、磁極切り替えが、コイルを巻いた鋼鉄電磁石より、磁極切り替えが早く、電気消費が、少なく済ませるモーター構造にするためには、コイルを巻かずにして磁極切り替え出来る磁石は、圧電素子磁石になる。
追加説明2
圧電素子磁石体をコイルを巻かないで圧電素子磁石反応を早く出来る技術としては、軽水素を内蔵させた圧電素子磁石によってより一層コイルを巻かずにして圧電素子磁石の磁極切り替えを簡単に行える制御インバーター装置によって作動出来るレールモーター装置。
追加説明3
確かにレールモーターの磁石体に圧電素子を設け電気消費を抑える為にコイルを無くした圧電素子配線を用いて磁極切り替えのインバーター装置を圧電素子磁石体が回転する数だけ設け無ければならない。
追加説明4
更にコイル無し圧電素子磁石体構造の磁石体磁極切り替えインバータ連続作動のレールモーターを更に電気消費を少なくする最終手段として、圧電素子4電子磁気分割装置を使用する事で、電気中の電気抵抗を取り除く技術によって、通常温度によっても電気中から電気抵抗が取り除かれた状態で電気使用出来る技術説明によって更にレールモーターの電気消費を抑えたモーター回転が得られるだけで無くモータースピード調整モーター位置ピタリ止め技術は、レールモーターが、誕生した時最初から備わっていたモーター構造機能によって
CD技術のMDの早送りモーター技術及びに巻き戻しモーター技術更にコマ送りモーター技術スロー再生モーター技術に対して最初から制御出来る磁極切り替えの他に電気遮断による必然的現象すなわちモーター接続現象によってモーター電気量調節制御出来るモーター制御第1の説明で有る。
追加説明5                  
更に電気量を越えたモーター制御方法は、圧電素子磁石体の磁極切り替えする複数インバータ回路にもう一つスイッチ機能を取り付けたレールモーターの複数それぞれの圧電素子磁石体同志の瞬間強力接合をする為に複数圧電素子磁石体それぞれに設けられているインバータースイッチを解除して、電気を流して強力な磁極接合を目的したレールモーター制御ブレーキ機能は、圧電素子磁石体全てにコイルを巻いたレールモーター圧電素子コイル磁石が出来る磁石接合方法の説明で有る
追加説明6
更に圧電素子の電磁石コイル説明は、圧電素子磁石体にコイルを一度巻いたコイル磁石の上に圧電素子を被せて整形した圧電素子コイル磁石説明で有る。
ただし電気消費は、必然として多くなる。
【００３９】
また、第12の課題解決手段として、カメラレンズ画像を屈折させる為にクリスタルガラスに張り付けてゴム止めするかガラスの後ろにゴム板を付けた構造のカメラレンズ画像屈折画像処理説明。
【００４０】
また、第13の課題解決手段として過去の夜のビデオ撮影に対して超小型ライトを8個用いてライトスイッチ切り替えによって、超小型ライト2個点灯~4個点灯~6個点灯~8個点灯を4段階ライトスイッチ構造にしたビデオライトスイッチ構造。
【００４１】
また、第14の課題解決手段としてモーター望遠カメラ構造として、棒状のレールモーターを使用した磁極切り換えのインバーター制御作動出来るレールモーター望遠カメラ構造で有る。
【００４２】
また、第15の課題解決手段として多機能ビデオ装置のスイッチは、雪ダルマデザインスイッチに全て揃えた多機能ビデオ装置のスイッチデザイン。
【００４３】
また、第16の課題解決手段として多機能ビデオ装置の表裏両面MDレールモーター取り込みロック装置を取り付ける事で、スムーズムなMD出し入れ可能なレールモーターと圧電素子4電子磁気分割装置を使用したMDレールモーター取り込みロック装置説明。
【００４４】
また、第17の課題解決手段として電池消費カードを取り付ける事によって、国及び都道府県市町村区の不足分税収を補う為の対策案として、一度買うと半永久連続作動出来る電池機能の為、更に非常用8つの超小型ライトによって災害時の緊急ライトとして使用出来るビデオライト装置。
【００４５】
また、第18の課題解決手段として主レールモータープロペラ装置と後部プロペラ装置を装備した半永久連続作動発電出来る2連振り子型自動充電池の電気エネルギーでリモコン作動出来るアタッチメントボルトナット取り付けセット型リモコンモーターヘリコプタービデオ装置。            
【００４６】
また第19の課題解決手段として表裏両面MD衛生地図並びに超小型2連表裏両面MD衛生部分地図の基の位置全自動衛生高さ位置時間セット帰還出来るリモコンモータープロペラヘリコプター装置。
【００４７】
また、第20の課題解決手段としてはバンド取り付け型の十字ライトカメラコード取り付け用アダプタ補助カメラ装置によってリモコン装置パネルからの上空写真を取る事の出来るビデオ装置。
【００４８】
また、第21の課題解決手段として、アンテナ送受信自動充電池 式のスピーカーマイクに衛生位置内蔵する事と別装置の山岳ヘリコプター電波中継装置リモコンを使用する事で、二か所の固定位置に基ずく3点目の移動するアンテナ送受信自動充電池式スピーカーマイク装置の発信する位置を全自動衛生位置測定してマイクを取り付けた被写体を全自動追尾出来る装置。
【００４９】
また、第22の課題解決として、フッ素コーティングゴムを滑り止めとして使用している多機能ビデオ装置。
【００５０】
また、第23の課題解決として2連振り子型自動充電池の再チェック説明を再度行う。
自動充電池の充電池は、マスコミで、一時騒がれた燃える電池を推測して書き進む事とする。軽水素ニッケル充電池は、急速充電出来たが、燃える電池としてマスコミ批判を受けた事実を推測して、水素ニッケル充電池の水素から重水素を取り除く量を調整する事によって軽水素の量を調整する意味合の上で半軽水素ニッケル充電池の重水素の取り出し調整によって半軽水素ニッケル充電池の位置ずけを取り決める事の出来る自動充電池専用充電池。
【００５１】
また、第24の課題解決手段としてワイヤコードライトカメラをリモコン無線電気モータープロペラヘリコプターに取り付ける事によって水中の画像をビデオ装置にリモコン収録出来る多機能ビデオ装置。
【００５２】
また、第25の課題解決手段として多機能ビデオ装置の2連振り子型自動充電池の再チェック説明として圧電素子4電子磁気分割装置を取り付け内蔵する事で、振り子装置を制御するレールモーター往復電磁石接合作動に対して複数歯車連動は、二つの異なった回転方向発電が、可能に出来るのも、2連振り子型自動充電池構造ならでわの振り子往復高速作動発電だが、追加説明の意味の点からもう一つの発電装置を電磁誘導補助発電方法ならば、二つ目のダイナモの意味する発電が振り子電磁石反発作動エネルギーを歯車エネルギーに変えた場合の更なる補助発電を追加説明として、付け加える。
ただし、本来2連振り子は、2台の自動充電池に一個ずつのダイナモ設定を限度とする理由は、スペースの問題などを考慮して更にダイナモの厚みを弱冠調整する事で、補いたい。
更に補助電磁誘導発電の場合振り子反発装置を増やす事と補助ゼンマイ装置を取り付ける事が必要視されるのも間違いなさそうで有る。
コメント
2008年8月4日PM23時55分43秒本日ここまでとする美馬牛カンキチ眠るので有った。
2008年8月5日AM10時9分58秒晴れやか美馬牛山鳩の声高らかに恋の相手探している。
【００５３】
また、第26の課題解決手段として多機能ビデオ装置の2連振り子型自動充電池の再チェック
説明として、ダイナモの中央部に軽水素内蔵の圧電素子を入れる事で、ダイナモで発電した電気打撃によって軽水素内蔵の圧電素子にダイナモ発電電気打撃を与える事で、ダイナモ中心部の軽水素内蔵の圧電素子は、圧力電気打撃発電を軽水素圧電素子融合発電となって発電するシステムは、通常ダイナモより、発電が多くなるのは、ダイナモの中央部に位置している軽水素合成融合圧電素子の別の発電がダイナモ発電に上乗せされる新ダイナモ説明で有る    
【００５４】
また、第27の課題解決手段として多機能ビデオ装置の2連振り子型自動充電池の再チェック
説明として、2連振り子型充電池のダイナモを補助回転させるための全自動ゼンマイレールモーター巻き取り型ワイヤ入りゼンマイは、長く使用すると必ずゼンマイが切れる欠点が有ったのを、鋼板ゼンマイに二本のワイヤを内蔵させた鋼板ゼンマイ板構造にする第一の技術と電気消費が、最も少ないレールモーターの圧電素子磁石の磁極切り換えの制御複数インバーター装置の圧電素子磁石の磁極反発の連続回転作動は、コイルを使用しない複数配線の連続した磁極切り換えで、作動するため電気消費が必然的に少なくなるのは当たり前の事実になるモーター説明で有り連続したゼンマイ切れの無いゼンマイ装置の開発成功は、当時の自動電池の改良部品では、半永久連続作動を確実にする技術発明で有ると言える。
【００５５】
また、第28の課題解決手段として多機能ビデオ装置の2連振り子型自動充電池の再チェック
説明として自動電池本来は、振り子往復電磁石反発作動を強める事つまり、自動電池の反発往復作動を速める事が、自動電池の発電力の発電量を上げる為の問題点で有ったのは言うまでも無い、その為コンデンサーは、広く知られ入る電気エネルギーを貯める方法で有るが別の考え方の電気を一度電子変換して電子の束を作り上げたのを、強い電気として振り子装置の電磁石反発装置に電気を流す事で、電磁石反発速度を速めた振り子歯車の片側回転技術が、更なる超薄型ダイナモ回転作動技術として発電の道が開かれたのも言うまでもない説明だが再び説明しておく。      
【００５６】
また、第29の課題解決手段として多機能ビデオ装置の2連振り子型自動充電池の再チェック
説明として自動電池の超薄型ダイナモを連続回転作動させる事に成功したとして発電した
電気エネルギーを充電池に急速充電する技術が、どうしても必要で有った所が当時水素ニッケル充電池は、15分充電出来る事が、商品使用で知っていた為、一台の自動電池だけの発電量は知れていたのを2台の自動電池の相互発電で、個の場を乗りきったのが2001年5月の事
更に、ダイナモの圧電素子を入れる技術は、2002年8月そしてこのころは、レールモーター使用も視野に入れていた頃で有り、更に圧電素子の登場は、家電製品のゴーストを取り除いた
奇麗な画像を楽しめる新しい画像素子体を同時に探していたのは、ニヤンワン全自動掃除機の新しいタイプを作る時に必要な電気部品作製に入ってた頃圧電素子磁石体の知識が中学の頃から有り、電子が飛び出る磁石体で有り、電波ゴーストは、人間の体に有る静電作用で、電波が一旦は、奇麗になる事実も、電波写りが悪い場所の為、風及び雪などで、電波調整を良く行ってた為、電波の乱れを調整出来るのは静電体すなわち電気だったのは、子供の頃から良く知っていた技術であった。
その為、圧電素子を磁気体分割と考えたのは鋼鉄コイル電磁石の存在とコイルを巻かない鋼鉄がコイルを巻いて電気を通して置く事で、永久磁石になる原理を中学まで、習っていた事である。
問題は電気は、磁石化してしまうならば圧電素子は、どうなのかの答えは、圧電素子に電気を通した場合の説明が、圧電素子磁石体を分類した場合の呼び名は、水素の危険性を中がで学習そして軽水素と重水素そして水素の三重水素までの考えを学習していたからで有る。
どうしても、別の企業に絶対に無い画像素子は、辞典を見てネオンとアルゴンなどが、書かれて有り世の中で、一番使用されて来たネオンガスに注目したのが、ゴースト電波は、体の静電作用で一時的に電波回復する事に目を付けネオンガスと充電池合成素子は、こうして誕生する。
更に、圧電素子の電気が磁気に変わるつまり鉄が磁気になる。そして、圧電素子の場合電気は、電子になるの答えになり、更に圧電素子磁気分割的考えは、磁石の恥は、磁気が強く磁石の中央は、磁気が弱い考え方の再復習から生まれた電気の磁気分割考えは、何度書いても同じくしか書けないつまり正解の答えが、自動充電池の急速充電技術電気を圧電素子磁石体に通して強い磁気力電気だけ使用する技術で有り、磁気力の弱い電気は、リサイクル電気として再利用の技術は、恐らく水素ニッケル電池の満タン充電が、マスコミ発表の本に5分と書かれて有った為すぐに圧電素子磁石体の超電導技術は、成立しているのは、他でも分かりました。
しからば、普通温度で、超電導なる技術発表または騒がないのは、2008年8月5日でも不思議なマスコミ社会現象と言える。
【００５７】
また、第30の課題解決手段として表裏両面MDを家庭のテレビで、楽しむ為にダビング可能で
有り、次に見るMDの内容を複数テレビ画面確認をしたり、画像にチェックマークを付けて見たい場面のチェックなど、一番庶民に解っていただけたいのは、CDの完全保護が出来るMDによって、大事なビデオ作成財産を長く保存出来る利点を掲げ強調したいと思ってます。
更に、携帯電話及びナビゲイションに使用予定の2連表裏両面MDのデーター収録量技術は、手間取らない再生技術に対して新しい道を開く事を期待したいと思ってます。
コメント
2008年8月5日昼PM13時1分51秒遅い昼飯
2008年8月5日昼PM13時17分15秒昼食終えビデオの合成画像の動体画像説明を始める。
【００５８】
また、第31の課題解決手段として表裏両面MDビデオを家庭内で合成写真組み立て再編集技術の説明として2001年2月上旬のゲーム組み立て画像処理技術考案の後説明をここでしておきます。
合成写真技術は、表裏両面MDで収録したビデオ画像に写真などの被写体形状画像をデジタル処理及びノーマル処理する技術によって、動かない写真画像を取り込む技術をテレポーテイション技術と説明します。
更に、テレビ画面上に写真などの合成写真を動く状態まで、もって行く技術をピクチャーイメージムービメント技術説明を始めます。
写真被写体画像を動く動態画像に変える為、人の被写体画像を頭の部分手から腕の部分更に足の部分の動きを加える為に大まかに3つに分ける更に細かくなると5つに分けなければ
停止して入る被写体写真画像を動く画像に出来ない理由が有るからで有る。
次に、人の体を頭の部分の動きをノーマル信号及びデジタル信号電波動態画像処理データーを複数予め容易して置くのが第二工程。   
次に人の手から腕に掛けての部分の動きをノーマル信号及びデジタル信号電波動態画像処理データーを複数予め容易して置くのが第三工程。
次に人の足から腰に掛けての部分の動きをノーマル信号及びデジタル信号電波動態画像処理データーを複数予め容易して置くのが第四工程。
従って、動きのある写真画像作成は、二画面以上を使って、ビデオ画像にノーマル信号動態画像書き込み及び、デジタル信号動態画像書き込みに対して予め顔の表情など動きをノーマル信号画像組み立て設定または、デジタル信号画像組み立て設定を行いテレビ画像を見ながら当日出場出来なかった運動会に参加した合成ビデオを作って家庭で楽しむ合成動画
のピクチャーイメージムービメントのテレポーテイション動画動態画像合成移動処理技術
説明で有る。
従って予め自分の動画動態処理画像ストックカードまたは自分の好きな人または動物またはロボットの動画動態ノーマル及びデジタル処理画像ストックカードが必要になる。
【００５９】
また、第32の課題解決手段は、家庭用置き型ビデオ装置は、半永久連続発電作動出来る2連振り子型機械式発電機を使用設置した家庭用置き型ビデオ装置。      
【００６０】
また、第33の課題解決手段は、家庭用置き型ビデオ装置に携帯波アンテナ超小型送受信装置を取り付けた、外出先の携帯映像をビデオに直接携帯波送受信して取り入れて録画出来るビデオシステム。
【００６１】
また、第34の課題解決手段は、ビデオリモコンに超小型自動充電池を内蔵させたビデオリモコン装置。
先知的所有財産及び先発明の名称多機能ビデオ装置
コメント
2008年8月1日PM23時5分8秒少し速めに眠る事とする図3まで書いたが明日になる。
2008年8月3日PM14時59分27秒昨日今日小雨で、旅人の語らいが庭先で、昼間から小雨の中恋の語らいいつも日が沈む時と日の入りに尋ねて来る旅人は、恋人でも出来たの最近めっきり来なくなってるされど雨は、しとしと降る美馬牛カンキチ。
先知的所有財産の名称説明
今までに無い半永久連続作動発電池機関と表裏両面MDを採用し、更にW液晶アンテナ携帯画像及び合成写真取り込み、更にアダプタ取り付けによって、リモコン上空ヘリコプター撮影出来る今までに無い複数カラー色デザインの軽水素内蔵ソーラーパネルなど更に圧電素子4電子磁気分割装置及び半軽水素ニッケル充電池によって、更に急速充電を可能にした多機能ビデオ装置説明。
特許表示特許法第187条の現状公開事実に対しての先知的所有財産確認方法と理由として 特許法第一条に基ずく先知的所有財産の先発明先考案の保護の重大性の国民の目の確認
先知的所有財産発明の経緯
【００６２】
先知的所有財産発明の経緯とは、特許法第一条では、発明考案の保護を、特許法で謳い発明の利用を図る事と書きながらの特許187条では、特許表示義務まで至ってないそればかりか、特許法の特許庁職員言い分は、先発明より後の発明に対して他の人間が発明の特許提出を、先発明者の特許提出を、特許庁にした場合、先発明横領が、特許法で、認められる。金の無い弱者に対しては、金と暇がなければ、特許提出など、いつになるかは解りませんなの言い方にも聞こえてくる特許庁の平等な人権になっていない、特許提出と特許認定と特開公開表示義務 つまり先知的所有財産権の公開義務を、行わない特許庁のため、誰がいつ何処でどの様に発明したのかも、解らない状態のまま、弱者に先知的所有財産発明考案日の個人調査つまり、弱者に金を遣わすだけの特許法しか書かない、エリート大学出の考え方を、公開のテレビ局などで、個人それぞれから、話を聞く時代が実際に来てしまった事。 
【００６３】
この事を踏まえて、現在まで、一般国民の著作権取り扱いは、国に証拠として、著作権請求しなければ他のものは、いくらでも真似をする傾向が、明らかであった。
1999年頃の4月末のNHKテレビ放送で、政治家が現在の子供達に今までの国と都道府県市町村の全額借金返済させるのテレビ発言で墫野和夫が、先知的所有財産の内の発明と考案の略図及び文章を、北海道知事に郵便手紙確認保管してもらう。この事は信用の有る民主党本部 共産党及び朝日テレビなどにも、現在の子供達に借金苦を、味合わせないために、行った事である。
先知的所有財産公開提出の意図
【００６４】
特許法第79条(先使用による通常実施権)とは
特許出願に係わる発明の内容を知らないで自らその発明をし、又は特許出願に係わる発明の内容を知らないでその発明をした者から知得して、特許出願の際現に日本国内に於いてその発明の実施である事業をしている者又はその事業の準備をしている者はその実施又は準備している発明及び事業の目的の範囲内に於いて、その特許出願に係わる特許権について通常実施権を有する。
特許出願に係わる発明の内容を知らないで自らがその発明をしとまず特許法に書かれているが、特許出願作品に対して特許庁が、出願と同時に審査請求つまり、同一特許作品を、いち早く特許庁は、職権義務公開しなければならないと言える。理由として、発明考案つまり、知的財産とは、先発明及び先考案及び先知的所有財産者が、同一の後発明又は後考案又は後知的財産によって先発明及び先考案及び先知的所有財産を、超えた同一発明の利益は、横領としか考えられない。
理由として、言い換えれば特許切れ又は著作権切れの先知的所有財産物に対して同じものを、作っても現在の法律では、違法とは、書いてないが、同一先知的財産権期限切れ商品を、複数の者が作った場合、国の財政経営に対してインフレとデフレを、同時に二つ作る事となり、知的所有財産権期限切れの商品を、国が作って国民全員に平等に配布しない限り所得の不平等の激しさはなお一層増す事となるおそれがある。
特許の内容を、知らずに出す事は、許される行為と書くならば、発明に対して先発明を、優先し先発明の保護の方法として、郵便物の領収書の改革として、相手の住所と氏名が、印刷されるべきである。
この方法は、発明考案印刷物郵便封筒日付確認の他、衛生時計時間の郵便物領収書を、作る必要がある。2008年5月1日AM1時9分美馬牛市街地自宅にてニャン カンキチ 
【００６５】
付け加えるならば、家に買いだめ切手又は他から戴いた切手などのポスト投函に対して証拠を、残す観点から、はがき又は封筒の表裏を、読み取って記録して、ポスト投函証明書を、発行出来るポストが未来社会では、こうなってほしい。ただし安いポストに限る。
インターネット発明先提出の場合、衛生時計文書自動書き込みのパソコンとポストを、国が国営の会社として作るべきである。
先発明及び先考案及び先知的所有財産の郵便物送付目的意図2008年5月1日21時3分自宅                                                                        美馬牛
【００６６】
知的所有財産とは、発明及び考案及び植物の新品種、意匠、著作権物その他の人間の創造的活動により生み出されるもの(発見又は解明かされた自然の法則又は現象であって産業上の利用可能性があるものを、含む。)商標、商号その他事業活動にもち入れられる商品又は役務を表示するもの及び営業秘密その他の事業活動に有用な技術上又は営業上の情報を言う。確かに上記に述べたのが知的財産であるが、先発明日及び先考案日又は先意匠又は先著作権などの、日付が明白でなければ、現在の子供達に、国会議員が、国と地方の全額借金返済させる事を、国会議員が、テレビカメラの前で、言った事は、事実であった。この事実に対して墫野和夫が、先発明及び先考案及び先意匠の事実を、郵便封筒日付消印永遠保存によって
現在の子供達及びこれから、生まれてくる子供達を、救う事が、出来ると考えたからである。
先知的所有財産の個人先発明財産証明の現行2008年の法律と先発明と先考案保護に一番近い特許法の法律文書解釈
【００６７】
現在の特許庁職員の職務として、特許法第一条は、完全に発明の保護と考案の保護が、書かれている事実であっても、特許法39条(先願)同一の発明について異なった日に二つ以上の特許出願が、あった時は、最先の特許出願人のみが、その発明について特許を受ける事が、出来る。  
上記の特許法第39条(先願)に対して検証して見ます。
同一の発明について異なった日に二つ以上の特許出願が、あった時は最先の特許出願人のみが特許を、受ける事が出来る。この場合特許提出が、異なった日であるから、先提出が、特許認定なのは、正しい。だが、同一発明の場合、先に発明していた事が、明らかに証明一例では、既に公開していて、他の者に先特許提出された事で、先発明の先知的所有財産の先発明権利を、失うとするならば、この世の中は、金があれば、後発明でも、貧乏人より、先に特許提出した者が、先知的財産言うなれば先発明の権利を、後発明が、奪う事となれば、莫大な先知的所有財産の横領又は奪う行為を、許す特許法になってしまうのが、残念である。
【発明の効果】
【００６８】
上述したように本先知的所有財産の先発明の多機能ビデオ装置は、半永久発電機関の2連振り子自動充電池の電気電源を使用して圧電素子4電子分割装置によって、今までの電気説明を越えた通常電気温度で、電気中の電気抵抗を取り除く事に成功し更にコイル無し圧電素子磁石体の磁極切り換え複数インバーター装置の導入によっての先発明のレールモーター
技術によって、電気消費を少なくした傷の付かないCD方式のMD穴卵型空きカバー方式を導入更に衛生GPS基の位置インプント設定全自動帰還出来るモータープロペラヘリコプター
ビデオ撮影可能なシステムを積載した多機能ビデオを提供出来る。
【００６９】
また、軽水素内蔵複数色シリコンソーラーパネルによって、デザイン画のソーラーパネル発電でも、他のソーラーパネル発電を越えた発電効果を発揮するもので有る。
【００７０】
更に、電池消費税カードを導入する事によって、国と都道府県市町村区の不足分税収の有り方の道筋に将来の税金の有り方などを、国民全員で、お話しをする時代が既に来て入る事をこの文章を借りて発明者本人からお願いする次第です。
【図面の簡単な説明】
【００７１】
【図１】アンテナ多機能ビデオ正面図と後面図ととつレンズ説明図。
【図２】アンテナ多機能ビデオ横面図面と上から見た図。
【図３】アンテナ多機能ビデオのアタッチメント取り付け図及びアタッチメント説明図。
【図４】アンテナ多機能ビデオの横面図と上から見た図。
【図５】2連振り子型自動充電池の説明図。
【図６】レールモーターの説明図。
【図７】置き型表裏両面MDビデオ装置の正面図。
【図８】軽水素内蔵炭素シリコンソーラーパネル説明図。
【図９】置き型表裏両面MDビデオ装置のリモコン正面図。
【図１０】超小型ビデオにする場合の説明図。コメント 2008年8月6日(水)PM20時41分54秒自動充電池のゼンマイ装置の部分のワイヤ入りの原本を探すが見当たらず取り合えず図11から説明を始める。
【図１１】2001年5月10日北海道道庁広報広聴第3ー37号墫野和夫の先知的所有財産の先発明原本または後書き原本の郵便物受理証明書図。
【図１２】2001年4月30日後書きの2001年2月~3月の夜6時以降考案してあった半分上が魚眼レンズそしてもう半分がとつレンズの合わせレンズのビデオ画像として写し出す場合魚眼レンズの分を修正して少し広いカメラレンズ視野を一度に得る為の装置説明文章と同じく後書きの2001年2月16日頃に先考案して有った当時手振り振り子発電装置を改良した振り子作動に電磁石反発技術とゼンマイ超小型自動巻き取り技術によって、この当時の永久発電機つまり燃料電池の改良型の循環発電機に使用する発電機に使用する為に先考案した現在の自動電池技術の最初の技術発明文章説明図。
【図１３】2001年4月30日後書きの2001年2月上旬夜同じくPM18時過ぎ新しいゲームの組み立て技術、すなわちビデオ画像に、実際の自分の写真などの被写体全身を上下左右前後の角度から写した自分の被写体写真画像を頭部分及び右腕全体部分及び左腕全体部分及び右足全体部分及び左足全体部分の5等分割の上下から写したノーマル信号画像及びデジタル画像の左右から写した頭部分のノーマル信号画像及びデジタル画像及び右腕全体部分のノーマル信号画像及びデジタル画像更に、左腕全体部分のノーマル信号画像及びデジタル信号画像更に、右足全体部分のノーマル信号画像及びデジタル信号画像更に、左足全体部分のノーマル信号画像及びデジタル画像を好きなノーマル信号画像組み立てまたは、デジタル信号画像組み立てを行って自然風景ビデオ構成の中に合成動画を入れたりして、ゲーム構成化するのだがこの場合、動く物体及び人全てをノーマル画像組み立て直しまたは、デジタル画像組み立て直ししなければ、ゲーム構成出来ない。更に、同じ時間にもう一つゲーム構成とは、通常の任天堂などのゲームの登場人物を、自分の被写体画像を上下左右前後から頭部分及び右腕全体部分及び左腕全体部分更に、右足全体部分及び左足全体部分の複数ノーマル信号画像と複数デジタル信号画像に一度セット画像として容易したのをゲームの中に自分の写真被写体動く画像を組み込む事の出来る任天堂方式タイプの自分の被写体写真または好きな被写体動く写真を取り込む事の出来るゲームで有り、後書き説明である。それから、2001年2月上旬二つのゲーム考案から形態ゲーム作りは、2001年2月上旬 から10日以上過ぎてテレビの今までの宣伝を携帯電話のゲーム化にして、当時の北海道の全額借金返済に役立てようとして考えて有ったゲーム構成で有り、ビデオなどの被写体を組み立て直して収録する技術更に、ビデオの一度写した画像構成事態を、編集し直すビデオ技術及び、全自動のビデオ画像編集技術説明文章図。
【図１４】2001年5月5日後書きの2001年2月~3月当時2001年2月16日頃先考案発明の永久電池を乗せた超小型ヘリューム気球にビデオ装置を乗せてリモコン撮影予定だった当時の作品の後書き説明で有り少し変更もしてある著作権説明文章図。
【図１５】2001年5月6日の後書き説明文章図で有り同じく2001年2月~3月新しいビデオ作成によって、北海道庁の借金返済の為、軽量で超薄型のビデオ作成の先考案して有ったのを、後書きしたビデオデザインだが、この場合二つ折ビデオで有り、超小型ビデオレンズに鏡などを使用した屈折型ビデオで有り、液晶画面タッチスイッチと永久電池、現在の自動電池の電池エネルギーで連続作動するタイプの超薄型MD液晶タッチビデオ装置説明文書図。
【図１６】2001年5月22日北海道道庁広報広聴第3ー54号の墫野和夫の先知的所有財産の先発明原本及び後書き原本の郵便物受理証明説明文章図。
【図１７】2001年5月15日後書きの北海道で運営する会社のピーアールビデオに使用するビデオの基になるビデオ撮影に使用する為のリモコン超小型モーターロボットの内訳を、説明した後書き原本文章図。
【図１８】2001年5月17日後書き永久大型電池の電子レンジの作動電気システム方式を逆に使う技術応用説明は、4月~5月で有ったが、実際の技術考案は、まだまだ前で有る文章説明図で有る。
【図１９】2001年5月18日後書きレールモーター説明図で有り、当初2001年2月~3月に掛けて夜のPM18時~21時30分頃までに、当時のトンネル災害のテレビ画像を見てトンネル火事に対して消化装置をボタンなどでスピードモーター移動して、初期消化の素早さを、今の内から容易して置く事と考え、新しいモーター移動装置磁石板制御移動装置によって 、指定した場所にきちんと止まるモーター装置の別の後書き原本図。
【図２０】2001年8月29日北海道道庁広報広聴第3ー192号の墫野和夫の先知的所有財産の先発明原本及び後書き原本の郵便物受理証明説明文章図。
【図２１】2001年6月5日後書きレールモーター説明図で有り、レールモーター電気ホイスト図と、自在磁石ネジ後の磁石制御の縄型ロボット装置説明図。
【図２２】2001年6月8日この頃、永久電池つまり現在の自動電池及び自動充電池を二つ組にした交互の増幅電気供給発電つまり図18の2連振り子型永久電池によって、半永久発電機関に一番近い連続した発電池の先発明によって、一般社会に出回った対策を初めからして置く必要性は、当時北海道庁の借金全額返済に対してどうしても、他とは異なった技術更に、他の技術を越えた技術を集めた商品開発が、どうしても北海道庁の借金全額返済の近道だった為、実際に作られる財産の責任などを踏まえて予め、考えて有った永久電池の電池消費磁気書き込みカードの説明文章図。
【図２３】2001年6月17日超小型の液晶パネルを説明した文章図。
【図２４】2001年7月3日超小型の磁気カード説明だが、あらゆる分野で使用予定で有っただけでなく、特に携帯電話などの超小型液晶などに使用目的だっただけでなく、増え続ける携帯電話そして、携帯電話の番号この事から、増え続ける携帯番号の処理方法として、通常携帯番号の前または後ろに絵文字番号を携帯番号に追加した携帯番号の有り方を、この頃考えて有った携帯電話の番号の増やし方の一例で有り絵文字番号として、特別携帯電話など、暗号番号として使用目的だった説明文書図。
【図２５】2001年7月3日偽造防止指紋認識用他手相などの確認用の偽造防止指紋または手相の金属判写し装置の説明文章図。コメント2005年8月6日(水)PM23時55分41秒時間が来たのでご飯食べて眠る美馬牛カンキチ。2008年8月7日(木)AM9時46分32秒入道雲が、有りながらも晴れの美馬牛市街市カンキチ邸
【図２６】2001年7月22日後書きの電磁石磁極切り換えのレールモーターの利用項目説明文章図。
【図２７】2001年7月22日後書きの電磁石磁極切り換えのレールモーターの図説図。
【図２８】2001年7月22日後書きの電磁石磁極切り換えのレールモーターの図説図。
【図２９】2001年8月17日後書きの魚眼レンズととつレンズの合わせレンズの図説で有り2001年2月から3月当時どうしても、北海道庁の借金全額返済の為、中学を出た時従兄弟のカメラパンフレットで、異なった魚眼レンズが有ったのを覚えていた為、どうしても違うレンズがほしくて、何とかならないかただそれだけの理由で、組み合わせた一つ削りレンズの後書き図。
【図３０】2002年3月22日北海道道庁広報広聴第3ー410号の墫野和夫の先知的所有財産の先発明の原本または後書き原本の郵便物受理書図。
【図３１】2002年3月11日この頃、実際に電気などを一旦電子の束に変え更に電気に戻して使っても、急速充電出来ても水素ニッケル充電池が精一杯の技術確かに薄いダイナモと二つの自動電池または機械式発電機は、相互の発電を繰り返してダイナモ発電増幅する技術で有ったが、発電した電気を超高速急速充電する技術は、6ケ月後で有り、少しでも、補助発電機つまり、補助発電技術の電気がほしくてソーラーパネルを取り付けただけの、まだ電気の確立へたどりつけない頃の文章説明図。
【図３２】2002年3月11日自動電池誕生の経緯を少し触れて見たが、水素ニッケル充電池を少し大きめまでが、この当時の技術に書いてないが、同じ頃レンズソーラーパネル補助発電技術が有るが、電気の頂点へはたどりつけてないのが事実で有った文章説明図。
【図３３】2002年3月19日複数ライトの説明で有るが、現在日本社会では、充電池止まりすなわち複数ライト玉技術は、車社会だけ入って来てるが電気製品社会ではまだ夜の明かりの社会でも、暗がりのままの状態で有り、未来の明かりの電気製品の為の複数ライト社会の為の複数ライト紹介説明文章図。
【図３４】2002年8月7日北海道道庁広報広聴第3ー136号の墫野和夫の先知的所有財産の先発明の原本または後書き原本の郵便物受理書図。
【図３５】2002年8月1日の圧電素子を鋼鉄永久磁石体の中心に入れたコイル板説明とダイナモの中心部を切り抜いた部分に圧電素子磁石体を入れた高出力発電の説明文章図。
【図３６】2002年9月4日北海道道庁広報広聴第3ー155号の墫野和夫の先知的所有財産の先発明の原本または後書き原本の郵便物受理書図。
【図３７】2002年9月26日北海道道庁広報広聴第3ー183号の墫野和夫の先知的所有財産の先発明の原本または後書き原本の郵便物受理書図。
【図３８】2002年9月12日レンズソーラーパネルと漸く圧電素子磁石の圧電素子4電子磁気分割装置を初めて機械式発電機及び自動充電池に採用した頃の先発明原本説明文章図。
【図３９】2002年9月14日MDツースの表裏両面の録画再生用の2連つなぎの表裏両面MDのおそらく最初の原本文章説明図。
【図４０】2002年9月18日後書きのモーターコイル板の中心部に圧電素子磁石体を入れたモーターコイル板内蔵説明文章図。
【図４１】2002年9月19日自動電池の振り子歯車モーターとゼンマイ巻き取りモーターに使用を、考えたコイル無し圧電素子磁石複数配線を使用したレールモーターで有り、理由は、コイルを巻けば電気消費が多くなる為、コイル無し複数配線の磁極切り換え方式のレールモーター使用の自動電池の有り方を考えていた頃の説明文章図。
【図４２】2002年9月19日(木)圧電素子4電子磁気分割装置の3電子つまり、中間電子を中間陽電子及び中間陰電子と書かなかった頃の文章説明図。
【図４３】2002年9月19日圧電素子4電子磁気分割装置に超電導配線を取り付けた説明文章図。
【図４４】2002年9月19日圧電素子4電子磁気分割装置の使用用途説明文章図。
【図４５】2002年9月19日圧電素子4電子磁気分割前の3分割の中間電子を二つの配線に分ける説明と多目的カードの裏表両面読み込み式の張り付けカード説明文章図。
【図４６】2002年9月22日後書きの超電導配線の作り方説明と圧電素子4電子磁気分割を装置を使用した超電導レーザー映像の説明文章図。
【図４７】2002年9月22日圧電素子4電子磁気分割装置を使用した超電導センサー(リモコンセンサー)説明文章図。
【図４８】2002年9月22日圧電素子4電子磁気分割装置を使用した超電導レーザー説明文章図。
【図４９】2002年9月22日圧電素子4電子磁気分割装置と超電導配線を使用した世界最速のモーター説明文章図。
【図５０】2002年9月22日の圧電素子磁石体を入れた鋼鉄磁石体又は圧電素子磁石体を鋼鉄板又は、永久鋼鉄板磁石体で圧電素子体を挟んだ電磁石コイル板の圧電素子4電子磁気分割装置を使用した超電導モーターコイル磁石板説明図。
【図５１】2002年9月22日の圧電素子4電子磁気分割装置などの中間陽電子配線及び中間陰電子配線の熱溜まりを懸念して電気熱専用に考えた電気配線説明図。
【図５２】2002年9月22日のソーラーパネルのテクスチャ構造の改良説明文章図。
【図５３】2002年9月23日の電気消費の少ないライトの玉を考えようとした時の文章説明図。
【図５４】2002年9月23日の圧電素子4電子磁気分割使用の超電導回路ゲームの文書説明図と携帯電話の文字色のダイオードライト切り換え説明で有る。ちなみに携帯電話複数ライトは2001年7月頃考案だが、一切書いてないのも現状で有る文章説明図。
【図５５】2002年10月9日北海道道庁広報広聴第3ー193号の墫野和夫の先知的所有財産の先発明及び先考案の原本または後書き原本郵便物受理説明書図。
【図５６】2002年9月24日圧電素子4電子磁気分割方式を使用したガス電池開発説明図で有る。ちなみに、水素ニッケル充電池は、この頃高い特許料金が、想定されていた為ネオンガス及び、アルゴンガス及び、ヘリュームガスの充電池開発へ考えた頃の原本図で有り、後の軽水素ニッケル充電池の重水素取り除き量調整の上での半軽水素ニッケル充電池へたどりつく事になるまでの文章説明図。
【図５７】2002年9月24日圧電素子4電子磁気分割装置を使用したウラン原石の電子放射熱発電方法の文章説明図。
【図５８】2002年9月24日圧電素子4電子磁気分割装置を使用したガスと電子熱を両方使える調理器説明図。
【図５９】2002年9月25日圧電素子4電子磁気分割装置を使用した超電導センサーリモコン装置の説明と液晶モーターカバーの説明図。
【図６０】2002年9月25日圧電素子4電子磁気分割装置使用の携帯のテープカセットの両面録音再生システム説明と液晶二つ折携帯のゲーム機携帯電話のデザイン説明図。
【図６１】2002年9月27日ビデオのアイテムパーツの説明文書図。
【図６２】2002年9月28日高出力ダイナモの後書き説明文章図。
【図６３】2003年6月12日北海道道庁広報広聴第3ー138号の墫野和夫の先知的所有財産の先発明及び先考案の原本または後書き原本郵便物受理説明書図。
【図６４】2003年6月10日ビデオ装置の表裏両面MD録画再生装置を切り離して軽量化のビデオ開発つまり複数の自動充電池などを使用したビデオ収録再生装置説明と外国語翻訳機のチャクメロデイなどの連絡方法などの説明文章図。
【図６５】平成15年1月6日岩手県胡四王簡易郵便局から墫野和夫の先知的所有財産の確認の為に東京都日本消費者連合殿へ送ったゆうパック領収書
【図６６】平成15年1月6日岩手県胡四王簡易郵便局から墫野和夫の先知的所有財産の確認の為に東京都NHKふれあいセンーター殿へ送ったゆうパック領収書
【図６７】平成15年1月6日岩手県胡四王簡易郵便局から墫野和夫の先知的所有財産の確認の為にアムネスティインターナショナル支部殿へ先知的所有財産を送ったゆうパック領収書
【図６８】平成15年1月6日岩手県胡四王簡易郵便局から墫野和夫の先知的所有財産の確認の為に東京都日本共産党委員会志位和夫殿へ先知的所有財産を送ったゆうパック領収書
【図６９】平成15年3月2?日岩手県胡四王簡易郵便局から墫野和夫の先知的所有財産の確認の為に東京都社民党本部土井高子殿へ先知的所有財産を送ったゆうパック領収書
【図７０】平成16年1月4日旭川市中央郵便局から墫野和夫の先知的所有財産の確認の為に東京都民主党本部民主党党首殿へ先知的所有財産を送ったゆうパック領収書
【発明を実施するための形態】
【００７２】
以下本先知的所有財産先発明の試作実施の形態を図1から図10に基ずいて説明する。
コメント
2008年8月5日PM15時21分40秒なんぼ書いても判らないならば次にゼンマイ手巻きのダイナモ回転作動発電と鉄球手振り圧電素子発電とブラック軽水素ニッケルソーラーパネル式の
半軽水素充電池使用の携帯電話受電システムの紹介を次に行う予定そして、ヒバストアーへ買い物美馬牛カンキチ。
2008年8月5日PM15時59分25秒井戸端会議2名の語らい参加久しぶりに人間になれた30分間で有った。
【００７３】
図1に於いて、(1)は今までに無いアンテナ携帯波送受信装置ビデオ装置で有り、(2)は、携帯波送受信装置のビデオアンテナ装置で有り、(3)は、ビデオ装置滑り止めゴム持ち手で有り、(4)は、ビデオ画像一時停止ボタン装置で有り、(5)は、今までに無いビデオ複数ライト装置で有り、(6)は、ビデオ大レンズで有り、(7)はビデオストラップ取り付け口で有り、(8)は今までに無い半永久作動発電池で有り税収不足を補う為の電池税カードで有り、(9)は、ビデオ史上初の魚眼レンズ使用で有り、(10)は、とつレンズで有り、(11)はビデオ史上初の表裏両面MD差し込み口で有り、(12)は表裏両面MDモーター取り出しボタンスイッチで有り、(18)はテレポーテイションボタンスイッチで有り、(31,32,)は、世界の話題を集めそうな2連振り子型自動充電池が、カバー内蔵されて入る。
【００７４】
図2に於いて、(13)はビデオ電源ボタンスイッチで有り、(14)は再生ボタンスイッチで有り、(15)は録画ボタンスイッチで有り、(16)は早送りボタンスイッチで有り、(17)巻き戻しボタンスイッチで有り、(18)テレポーテイションボタンスイッチで有り、(19)は表裏両面MDで有り、(20)は、MD回転作動取り込み口で有り、(21)は、MD卵型穴空き空洞読み込み口で有り、(22)は、MD卵型穴空き空洞録画口で有り、(23)は液晶Aで有り、(24)は液晶Bで有り、(25)は主モータープロペラ装置アダプタ取り付け装置で有り、(26)は後部プロペラ装置取り付け口で有り、(27)は今までに無い初のお目見えの軽水素内蔵複数色シリコンソーラーパネル装置で有り、(77)は、おそらく世界初の超小型2連表裏両面MD装置で有り、(78)は超小型圧電素子磁石体磁気カードの取り付け箇所説明と今までに無い説明を添えた番号説明ビデオ装置である。   
【００７５】
図3に於いて(28)は圧電素子磁石体の磁極切り替え出来る複数インバータ制御装置が取りつけられているレールモータープロペラ装置で有り、(29)は、主プロペラ装置で有り、(30)はインバーター制御レールモーター装置で有る。
その他の番号説明は、図1と図2で説明した通りで有る。
【００７６】
図4に於いての番号説明は、図1と図2と図3で説明した通りで有り、(27)の軽水素内蔵複数色
シリコンソーラーパネル装置のデザイン違いを説明した図説で有り、薄いシリコンカラー色粘着シリコンペーパーを使用しているのも特徴の一つで有る。
コメント
2008年8月5日(火)PM19時15分20秒から夕食のキンピラゴボウと冷や奴なぜに雲一つない大雪山もう本当に秋少し静かな美馬牛市街地[0070]7行目から再び書き始めるのだが、今日中に書き終えたい美馬牛カンキチ。
【００７７】
図5に於いて(31)は、2連振り子型自動充電池のAで有り、(32)は、もう片方の2連振り子型自動充電池のBで有り二つ一組の自動充電池で有り、片方の発電した電池電気エネルギーをもう片方の自動充電池の(40)の左側自動充電池振り子反発電磁石で有り、(41)の右側自動充電池振り子反発電磁石で有り(31)の2連振り子型自動充電池の発電した電気エネルギーを(40,41,)の自動充電池振り子反発電磁石で有り、電気エネルギー供給して電磁石コイルの反発を(42)の振り子左側強力永久磁石で有り、(43)は振り子右側強力永久磁石は、(40,41,)の自動充電池の反発圧電素子コイル電磁石の外側固形窒素コーテイングコイル巻電磁石で有り、この場合外側の圧電素子コイル巻電磁石の電気量を増やす事によって振り子装置の振り子往復作動のスピードを上げる事によって(45)の軽水素内蔵圧電素子入りダイナモ歯車の片側回転だけに意味する為の(44)の振り子軸に取り付けられているレールモーターの電磁石接合片側回転作動の振り子作動ダイナモ歯車へ振り子エネルギーを伝える為の自動充電池の振り子連続作動システムの説明で有る。
コメント
2008年8月5日PM21時36分10秒追加原本のコピー追加段取り何れにしても頑張ろう美馬牛カンキチ
【００７８】
図5に於いて、(39)の2連振り子型自動充電池の圧電素子4電子磁気分割装置の説明を始める。2002年9月中旬頃に世界に先掛けて圧電素子磁石のこの頃は、プラス陽電子とマイナス陰電子と中間電子に分けた考え方つまり中間電子は、最終的に中間陽電子と中間陰電子に分けたので有って圧電素子磁気4分割配線をこの頃、圧電素子の陽電子磁石体と陰電子磁石体そして、磁気の弱い部分の中間陽電子磁石体と中間陰電子磁石体に区分けするこれら全体の装置名称が決まっていなかったので連絡します。
圧電素子4電子磁気分割装置と言う名で通し続けたいと考えてます。                    
圧電素子4電子分割装置とは、圧電素子磁石体の中央部分の圧電素子磁石体の磁気力の一番弱い部分二か所に圧電素子中間陽電子配線と圧電素子中間陰電子配線に通常電気配線のプラス配線とマイナス配線をそれぞれプラスはプラスマイナスはマイナスに繋げて電気を圧電素子磁石体に流すだけで、電気が圧電素子磁石体と融合したつまり、圧電素子磁石の磁気の強い部分には電気抵抗の少ない電気しか流れないそして圧電素子中央部分に設けたプラスマイナス二か所に設けた電気配線には、圧電素子中間陽電子配線には、圧電素子磁石体の磁気力の弱い電気つまり電気抵抗の集結したプラス電気が流れ、更に圧電素子中間陰電子配線には圧電素子磁石体の磁気力の弱い電気つまり電気抵抗の集結したマイナス電気が流れこれら、電気抵抗の有る電気は、リサイクル電気として再び圧電素子磁気4分割装置へ電気分割される。
要するに圧電素子磁石体の両端に繋がれた圧電素子陽電子磁石電気配線と圧電素子陰電子
磁石電気配線に圧電素子磁石体の磁気力の一番強い電気が流れる磁石電気説明通りになる。                                                    
図5に於いて(46)の大型ゼンマイレールモーター装置のゼンマイ鋼板装置は、連続して使うと必ずゼンマイ鋼がぶち切れる事になる欠点が、使う前から明らかだった欠点箇所を二本のワイヤをゼンマイ鋼板装置に内蔵した事で、半永久連続発電の言葉使用が決まった理由なのです。
もし、永久機関ならば、ダイナモ端子と充電池を永久機関に直さなければならない事実課題が、待ってるだけですが、取り敢えず半永久連続発電機関は、ダイナモ端子交換または、充電池つまり半軽水素ニッケル充電池つまり、水素から重水素取り除き量の調整によって、水素ニッケル充電池以上の急速充電と燃えない重水素取り除き調整に於いての軽水素ニッケル充電池を半軽水素ニッケル充電池として2連振り子型自動充電池に設置内蔵の連続使用した場合どれだけ、半永久連続発電の言葉通りなのか、発明者本人も実は今度こそ期待している事実は、半軽水素ニッケル充電池がダイナモ端子より、寿命が持てば半永久の言葉は、そのまま使用したいと思ってます。
次にダイナモ端子については弱冠大きくしても摩擦抵抗に対しては電磁誘導発電しか現在見当たらず、軽水素練り合わせ合成圧電素子磁石体を使用した補助電磁誘導発電は、振り子作動のもう片方分の歯車作動エネルギーを電気に変える場合としても、おそらく取りはずし間での発電技術に現在の所電磁誘導パワーアップ発電は、最高強力永久磁石使用までが現在の状況説明で有る。
【００７９】
図5の(45)のパワーアップダイナモの説明に入る。
従って(31,32,)の2連振り子型充電池が、更なるパワーアップ出来た理由は、(45)の軽水素内蔵の圧電素子磁石体を超薄型ダイナモの中心部にステンレス薄板内蔵取り付けなどの方法によって(45)のダイナモの発電した電気打撃によっての軽水素内蔵の圧電素子電気打撃発電は、少し厚めのダイナモ発電には有効だと言える試作にあたっての技術説明。
従って、(48)は軽水素内蔵圧電素子で有りダイナモの中央部分を削って取り除いた部分に(48)の軽水素内蔵圧電素子を入れた構造のダイナモになり(49)はダイナモ歯車軸装置で有る。
【００８０】
図6の(38)はコンデンサーで有り、(31,32,)の2連振り子型自動充電池の不足の際に使用予定だが、電気電子変換装置に不具わいが無い限り使用は、有り得ないのは、電気抵抗器事態使わずに電気圧力など調整したいのが発明者本人の考えだからで有るのも付け加えると同時に、(37)の絶縁体は、(30)のインバーター制御レールモーターの絶縁体で有り、(36)はインバータ装置で有り、(50)は圧電素子磁石体で有り、(30)のインバータ制御のレールモーターの1~16は圧電素子磁石体を説明した説明文章図で有る。
【００８１】
図7の家庭用置き型ビデオ装置は、(52)の超小型2連表裏両面MD装置で有り、(53)は超小型2連表裏両面MD取り入れ口で有り、(54)は圧電素子磁気体カードで有り、(55)圧電素子磁気体カード取り入れ口で有り、(56)は表裏両面MD電源スイッチボタンで有り、(57)はダブルMD切り替えスイッチボタンで有り、(58)は再生スイッチボタンで有り、(59)は録画スイッチボタンで有り、(60)は早送りスイッチボタンで有り、(61)は、巻き戻しスイッチボタンで有り、(62)は、テレポーテイションのピクチャーイメージムービメントスイッチボタンで有り、(63)は表裏両面MDモニターパネル装置で有り、(64)一時停止スイッチボタンで有り、(65)は入力切り替え装置スイッチボタンで有り、(66)はテレビ電源切り換えスイッチボタンで有り、(67)停止スイッチボタンで有り、(68)カードMD電源切り換えスイッチボタンで有り、(69)はタイマースイッチボタンで有り、(70)はBSモニタースイッチボタンで有り、(71)は音声切り換えスイッチボタンで有り、(84)は超小型2連振り子型機械式発電機で有り、(86)は置き型ビデオ携帯波送受信アンテナのこれら装置説明で有る。
【００８２】
図8の(27)の軽水素内蔵複数色シリコンソーラーパネル装置で有り、(72)は、炭素シリコン装置で有り、(73)は軽水素内蔵合成シリコンで有り、(74)は軽水素で有り、(75)は電極で有り、(76)は櫛型金属電極で有り、(85)はクリスタルガラス構造の(27)の軽水素内蔵複数色シリコンソーラーパネル装置の構造を説明した図説で有る。
【００８３】
図9のアンテナ携帯波送受信装置の置き型ビデオのリモコンスイッチボタン名称説明を始める。
従って、(56)は表裏両面MD電源スイッチボタンで有り、(57)はダブルMD切り換えスイッチボタンで有り、(58)は再生スイッチボタンで有り、(59)は録画スイッチボタンで有り、(60)は早送りスイッチボタンで有り、(61)は巻き戻しスイッチボタンで有り、(62)は巻き戻しスイッチで有り、(63)は、表裏両面MDモニタースイッチボタンで有り、(64)一時停止スイッチボタンで有り、(65)は入力切り換えスイッチボタンで有り(66)はテレビ電源切り換え装置で有り、(67)は停止スイッチボタンで有り、(68)はカードMD電源切り換えスイッチボタンで有り、(69)は、タイマースイッチボタンで有り、(70)はBSモニタースイッチボタンで有り、(71)は音声切り換えスイッチボタンで有り、(80)はテレビ局切り換えスイッチボタンで有り、(81)は鏡装置で有り、(82)は自動充電池で有り、(83)はリモコンモニターパネル装置のアンテナ
携帯波送受信装置の置き型ビデオのリモコンスイッチボタン装置説明で有る。
コメント                                                      
2008年8月6日AM1時40分電磁誘導発電に使用する永久磁石構造の追加説明として鋼鉄永久磁石に軽水素内蔵及び練り合わせ合成の圧電素子素子磁石体を重ね合わせ更に鋼鉄永久磁石を重ね合わせ更に軽水素内蔵練り合わせ合成の圧電素子磁石体を重ね更に鋼鉄永久磁石を重ねるこのように鋼鉄永久磁石と軽水素内蔵練り合わせ圧電素子素子磁石体の何層かを
重ね合わせてボルト止めした高出力永久合わせ磁石体の磁気誘導発電説明の追加説明とする。美馬牛カンキチ
2008年8月6日AM10時6分58秒図の補正今日こそ完結多機能ビデオ今日も晴れ美馬牛市街地
蝉の声風はもう秋の気配美馬牛市街地カンキチ。
【００８４】
図10は、少し小型の(93)は2連振り子型自動充電池を使用した表裏両面MDビデオデザインで有る。
従って、(89)携帯アンテナで有り、(90)は、ライトで有り、(91)はおおレンズで有り、(92)突レンズで有り、(94)は圧電素子の磁極切り換え型のインバータ制御のレールモーター装置で有り、(95)は温度計で有り、(96)は太陽光度計で有り、(97)は、軽水素内蔵炭素シリコンソーラーパネル装置の少し小型だと思えるただし、弱冠重たいのが欠点で有り、将来的にはアンテナカメラと超小型自動電池だけにして、MDは、ベルト式にして2連振り子型自動充電池を取り付けた別の超軽量ビデオとして、再スタートして行きたい自動電池及び自動充電池及び2連振り子型自動充電池作者の追加ビデオ説明とする。
コメント
2008年8月6日AM10時55分6秒美馬牛二日続きの晴れ次は図面の簡単な説明、北海道知事は、将来ビデオどのように考えて入るのか一度聞いてみたいそして年を取ってからの生活それとも年を取らない時間に生きるのか、今回人の楽しみの中に入ろうとして見ましたがそれでも人は、それぞれデザイン一つそれぞれ、手に持って歩くビデオがだめなら、ロボット犬
ロボット猫内蔵ビデオが、本当のなのか発明者自身現在の子供達に聞いて見たいのが心境なのです。おそらく今後9月までにロボットを書く事になる時は、よろしくお願いします。
【符号の説明】
【００８５】
1    アンテナビデオ装置
2    ビデオ携帯波送受信アンテナ
3    滑り止めフッ素加工ゴム
4    ビデオ画像一時停止スイッチボタン       
5    ビデオ複数ライト
6    ビデオおおレンズ
7    ビデオストラップ取り付け口
8    自動充電池の電池消費磁気記録カード  
9    魚眼レンズ
10   とつレンズ
11   表裏両面MD取り込み口
12   表裏両面MD取り出しスイッチ装置
13   ビデオ電源スイッチボタン
14   再生スイッチボタン
15   録画スイッチボタン
16   早送りスイッチボタン
17   巻き戻しスイッチボタン
18   テレポーテイションスイッチ
19   表裏両面MD
20   表裏両面MDレールモーター作動取り込み口
21   表裏両面MD卵型穴空き空洞読み込み口
22   表裏両面MD卵型穴飽き空洞録画口
23   液晶A
24   液晶B
25   主プロペラ取り付け口
26   後部プロペラ取り付け口
27   軽水素内蔵複数色シリコンソーラーパネル
28   後部プロペラ装置
29   主プロペラ装置
30   インバーター制御レールモーター
31   2連振り子型自動充電池A
32   2連振り子型自動充電池B
33   半軽水素ニッケル充電池
34   プラス電気電子変換装置
35   マイナス電気電子変換装置
36   インバーター装置
37   絶縁体
38   コンデンサー
39   圧電素子4電子磁気分割装置
40   左側自動充電池反発圧電素子電磁石
41   左側自動充電池反発圧電素子電磁石
42   振り子左側永久磁石装置
43   振り子右側永久磁石装置
44   レールモーター振り子軸
45   軽水素内蔵圧電素子入りダイナモ
46   大型歯車ゼンマイ接続レールモーター装置
47   ワイヤ入りゼンマイ板装置
48   軽水素内蔵圧電素子磁石体
49   ダイナモ歯車軸
50   圧電素子
51   表裏両面MD取り入れ口
52   超小型2連表裏両面MD
53   超小型2連表裏両面MD取り入れ口
54   圧電素子磁気体素子カード
55   圧電素子磁気体素子カード取り入れ口
56   表裏両面MD電源スイッチボタン
57   ダブルMD切り換えスイッチボタン
58   再生スイッチボタン
59   録画スイッチボタン
60   早送りスイッチボタン
61   巻き戻しスイッチボタン
62   テレポーテイション合成画像スイッチボタン
63   表裏両面MDモニター装置
64   一時停止スイッチボタン
65   入力切り換えスイッチボタン
66   テレビ電源切り換えスイッチボタン
67   停止スイッチボタン
68   カード及びMD電源切り換えスイッチボタン
69   タイマースイッチボタン
70   BSモニタースイッチボタン
71   音声切り換えスイッチボタン
72   炭素シリコン
73   軽水素内蔵合成シリコン
74   軽水素
75   電極
76   櫛形の金属電極
77   超小型2連MD
78   超小型圧電素子磁気カード
79   衛生GPS地図
80   テレビ局切り換えスイッチボタン1~15
81   鏡装置
82   自動充電池
83   リモコンモニターパネル
84   超小型2連振り子型機械式発電機
85   クリスタルガラス
86   置き型ビデオ携帯波送受信装置アンテナ
87   スピーカー
88   マイク
89   携帯アンテナ
90   ライト
91   おおレンズ
92   とつレンズ
93   2連振り子型充電池
94   インバーター制御装置
95   温度計
96   太陽光度計
【図１】
2011233228.tif 000003
【図２】
2011233228.tif 000004
【図３】
2011233228.tif 000005
【図４】
2011233228.tif 000006
【図５】
2011233228.tif 000007
【図６】
2011233228.tif 000008
【図７】
2011233228.tif 000009
【図８】
2011233228.tif 000010
【図９】
2011233228.tif 000011
【図１０】
2011233228.tif 000012
【図１１】
2011233228.tif 000013
【図１２】
2011233228.tif 000014
【図１３】
2011233228.tif 000015
【図１４】
2011233228.tif 000016
【図１５】
2011233228.tif 000017
【図１６】
2011233228.tif 000018
【図１７】
2011233228.tif 000019
【図１８】
2011233228.tif 000020
【図１９】
2011233228.tif 000021
【図２０】
2011233228.tif 000022
【図２１】
2011233228.tif 000023
【図２２】
2011233228.tif 000024
【図２３】
2011233228.tif 000025
【図２４】
2011233228.tif 000026
【図２５】
2011233228.tif 000027
【図２６】
2011233228.tif 000028
【図２７】
2011233228.tif 000029
【図２８】
2011233228.tif 000030
【図２９】
2011233228.tif 000031
【図３０】
2011233228.tif 000032
【図３１】
2011233228.tif 000033
【図３２】
2011233228.tif 000034
【図３３】
2011233228.tif 000035
【図３４】
2011233228.tif 000036
【図３５】
2011233228.tif 000037
【図３６】
2011233228.tif 000038
【図３７】
2011233228.tif 000039
【図３８】
2011233228.tif 000040
【図３９】
2011233228.tif 000041
【図４０】
2011233228.tif 000042
【図４１】
2011233228.tif 000043
【図４２】
2011233228.tif 000044
【図４３】
2011233228.tif 000045
【図４４】
2011233228.tif 000046
【図４５】
2011233228.tif 000047
【図４６】
2011233228.tif 000048
【図４７】
2011233228.tif 000049
【図４８】
2011233228.tif 000050
【図４９】
2011233228.tif 000051
【図５０】
2011233228.tif 000052
【図５１】
2011233228.tif 000053
【図５２】
2011233228.tif 000054
【図５３】
2011233228.tif 000055
【図５４】
2011233228.tif 000056
【図５５】
2011233228.tif 000057
【図５６】
2011233228.tif 000058
【図５７】
2011233228.tif 000059
【図５８】
2011233228.tif 000060
【図５９】
2011233228.tif 000061
【図６０】
2011233228.tif 000062
【図６１】
2011233228.tif 000063
【図６２】
2011233228.tif 000064
【図６３】
2011233228.tif 000065
【図６４】
2011233228.tif 000066
【図６５】
2011233228.tif 000067
【図６６】
2011233228.tif 000068
【図６７】
2011233228.tif 000069
【図６８】
2011233228.tif 000070
【図６９】
2011233228.tif 000071
【図７０】
2011233228.tif 000072